【事件の表示】
　特願２０１０−１３５０２３「マルチモダリティ動画像診断装置」拒絶査定不服審判事件〔平成２４年　１月　５日出願公開、特開２０１２−　　　１３５〕について、次のとおり審決する。
【結　論】
　本件審判の請求は、成り立たない。
【理　由】
第１　手続の経緯
　本願は、平成２２年６月１４日に出願された特許出願であって、平成２５年１０月９日付けで拒絶の理由が通知され、これに対して、同年１２月１６日に意見書及び手続補正書が提出され、さらに平成２６年１月１４日付けで最後の拒絶の理由が通知され、これに対して、同年３月２０日に意見書及び手続補正書が提出されたが、同年９月２５日付けで、同年３月２０日にされた手続補正について補正の却下の決定がされた上で、同年９月２５日付けで、拒絶の査定がなされ、同拒絶査定の謄本は同年１０月７日に請求人に送達された。
　これに対して、同年１２月２５日に拒絶査定不服審判の請求がなされ、それと同時に手続補正がなされたものである。
第２　平成２６年１２月２５日にされた手続補正についての補正の却下の決定
［補正の却下の決定の結論］
　平成２６年１２月２５日にされた手続補正（以下、「本件補正」という。）を却下する。
［理由］
　１　本件補正について
　上記手続の経緯において認定したように、原審において、本願出願人である審判請求人が平成２６年３月２０日にした手続補正は、決定により却下されていることから、本件補正は、平成２５年１２月１６日に提出された手続補正書に記載された特許請求の範囲の請求項１の記載（下記（１）参照）を平成２６年３月２０日に提出された手続補正書に記載された特許請求の範囲の請求項１に記載（下記（２）参照）されたとおりに補正することをその一部に含むものである。
　
　（１）平成２５年１２月１６日提出の手続補正書に記載された特許請求の範囲の請求項１の記載
　「【請求項１】
　心拍、又は呼吸に同期した１周期分の動画である繰り返し画像を撮影する第１の診断装置と、前記繰り返し画像と異なるフレームレートを有する連続画像を撮影する第２の診断装置のそれぞれで撮像された画像データを取り込んで画像処理を行う画像診断装置において、
　前記画像診断装置にデータを入力する入力手段と、
　前記繰り返し画像および前記連続画像を含むデータを記憶する記憶手段と、
　１周期分の動画を繰り返して表示する前記繰り返し画像の表示と、前記連続画像の表示とを行う表示手段と、
　前記連続画像の撮影に連動させて同期信号を発生させる同期信号発生手段と、
　前記繰り返し画像のフレームレートを前記同期信号に同期するように該フレームレートを補正処理する処理手段と、を有し、
　前記繰り返し画像を表示する際に、前記繰り返し画像と前記連続画像とを同期させながら同時に前記表示手段に表示することを特徴とする画像診断装置。　」
　（２）平成２６年１２月２５日提出の手続補正書に記載された特許請求の範囲の請求項１の記載
「【請求項１】
　心拍、又は呼吸に同期した１周期分の動画である繰り返し画像を撮影する第１の診断装置と、前記繰り返し画像と異なるフレームレートを有する連続画像を撮影する第２の診断装置のそれぞれで撮像された画像データを取り込んで画像処理を行う画像診断装置において、
　前記画像診断装置にデータを入力する入力手段と、
　前記繰り返し画像および前記連続画像を含むデータを記憶する記憶手段と、
　１周期分の動画を繰り返して表示する前記繰り返し画像の表示と、前記連続画像の表示とを行う表示手段と、
　
ドップラ信号の変化により
　前記繰り返し画像のフレームレートを前記同期信号に同期するように該フレームレートを補正処理する処理手段と、を有し、
　前記繰り返し画像を表示する際に、前記繰り返し画像と前記連続画像とを同期させながら同時に前記表示手段に表示することを特徴とする画像診断装置。　」（下線は、補正箇所を示す。）
　（３）請求項１の補正の内容について
　本件補正前の「前記連続画像の撮影に連動させて同期信号を発生させる同期信号発生手段」を「ドップラ信号の変化により同期信号を発生させる」ものに限定するものであるから、本件補正前の請求項１に係る発明を減縮するものであって、その産業上の利用分野及び解決しようとする課題を変更するものではないから、上記請求項１についての補正は、特許法第１７条の２第５項第２号に規定する特許請求の範囲の減縮を目的とするものに該当する。
　そこで、次に、本件補正後の請求項１に記載された発明（以下、「本件補正発明」という。）が、特許出願の際独立して特許を受けることができるものであるか否かすなわち、特許法第１７条の２第６項で準用する同法第１２６条第７項の規定する要件を満たすものであるか否か（いわゆる、「独立特許要件」を有するか否か）について検討する。
　
　２　本件補正発明についての独立特許要件についての検討
　（１）本件補正発明
　本件補正発明は、上記１（２）において説示したとおり、平成２６年１２月２５日に提出された手続補正書の特許請求の範囲の請求項１に記載された事項により特定されるとおりのものである。
　（２）引用例
　ア　本願の出願前に頒布された刊行物であって、原査定の拒絶の理由に引用された特開２００６−１９２１５１号公報（以下、引用例１という。）には、つぎの事項が記載されている。（下線は、当審において付与した。）
　（ア）「【技術分野】
【０００１】
　この発明は、超音波診断装置、Ｘ線ＣＴ装置、又はＭＲＩ装置等の医用画像診断装置により時系列的に撮像された３次元で表される医用画像を画像処理して表示するための画像処理装置に関する。」
　（イ）「【背景技術】
【０００２】
　超音波診断装置又はＸ線ＣＴ装置等の医用画像診断装置にて撮像された患者の医用画像を観察するために、画像表示及び画像処理が行える画像処理装置が用いられている。この画像処理装置は、２次元画像の表示に加え、３次元画像を観察することもできる。この観察の際には、画像同士を比較するため、例えば、各々の画像表示の観察角度及び拡大率を同じ状態にして観察することにより、画像同士の比較が容易になる。
【０００３】
　また、３次元画像を表示する画像処理装置では、複数の３次元画像を表示することができるものがあり、複数の３次元画像を表示する際に、撮影時の撮影情報及び表示パラメータに基づいて同期させて表示するものが知られている（例えば特許文献１）。
【０００４】
【特許文献１】特開２００２−１２５９３７号公報
【発明の開示】
【発明が解決しようとする課題】
【０００５】
　しかしながら、従来の画像処理装置においては、所定の時間ごとに撮像された時系列的な３次元画像データを同期させて表示することは行われていない。そのため、医用画像診断装置にてスキャンが行なわれている最中に、いわゆるリアルタイムに複数の３次元画像データを同期させて表示させることは困難であり、また、異なる医用画像診断装置にて撮像された時系列的な３次元画像データを重畳させて表示することは困難であった。
【０００６】
　また、従来の画像処理装置においては、スキャン中に３次元画像データから観察したい領域を抽出して、抽出した観察領域に含まれる３次元画像同士を同期させて比較することが行われていなかった。そのため、時系列的な３次元画像データを扱う場合、特に、複数の時系列的な３次元画像データ同士を比較する場合に、各時相における３次元画像データを領域抽出する必要があるが、そのデータ量が膨大であるため、操作者は多大な労力と時間を費やす必要があった。これにより、例えば、術前と術後の時系列的な３次元画像データの比較や、典型症例との比較等が困難となっていた。
【０００７】
　以上のように、従来技術に係る画像処理装置においては、スキャン中（リアルタイム）に時系列的な３次元画像データ同士を比較することができず、一旦保存した３次元画像データに対する処理のみが可能となるため、その応用が限られていた。」
　（ウ）「【００１０】
　この発明は上記の問題を解決するものであり、予め収集された時系列的な３次元画像データから抽出した観察領域の範囲に基づいて、スキャンにより時系列的に収集されている３次元画像データから時間ごとに所望の観察領域をリアルタイムに抽出することが可能な画像処理装置を提供することを目的とするものである。そのことにより、
医用画像診断装置を用いて時系列的に収集される３次元画像データと、予め医用画像診断装置により収集されて保存されている時系列的な３次元画像データとを、表示装置にて表示して比較する際に、時間ごとに所望の観察領域に含まれる３次元画像同士の比較を容易にすることが可能な画像処理装置を提供することを目的とするものである
【００１１】
　また、
心電信号等の生体情報を用いることにより、複数の３次元画像データを時間的に同期させことが可能な画像処理装置を提供することを目的とするものである。
　（エ）「【００２０】
（構成）
　この発明の第１の実施形態に係る画像処理装置の構成について、図１及び図２を参照しつつ説明する。図１は、この発明の第１の実施形態に係る画像処理装置を備えた医用画像システムの概略構成を示すブロック図である
。医用画像システムは、医用画像診断装置１、位置情報収集部６、生体情報収集部７、画像処理装置２０及び記憶装置４０を備えて構成され
【００２１】
　医用画像診断装置１は、例えば、Ｘ線ＣＴ装置や超音波診断装置等で構成されている。図１には、Ｘ線ＣＴ装置の例が示されている。照射部２は、Ｘ線源、高電圧発生装置及びＸ線源制御装置等で構成され、被検体である撮影対象に向けてＸ線ビームを曝射するものである。Ｘ線源は、例えば、チャンネル方向とスライス方向（被検体の体軸方向）との２方向に広がるいわゆるコーンビームＸ線を発生する。検出器３は、照射部２から曝射され、被検体を透過したＸ線ビームを検出するＸ線検出器からなる。また、検出器３は、例えば、Ｘ線検出素子を互いに直交する２方向それぞれにアレイ状に複数個配列され、これにより２次元のＸ線検出器を成している。
【００２２】
　データ収集部４（ＤＡＳ）は、検出器３の各Ｘ線検出素子と同様にアレイ状に配列されたデータ収集素子を有し、検出器３により検出されたＸ線ビームを、スキャン制御部（図示しない）により出力されたデータ収集制御信号に対応させて収集する。この収集されたデータがＸ線投影データとなる。
【００２３】
　画像再構成部５は、データ収集部４から出力されるＸ線投影データを逆投影処理することにより、画像データを再構成する。この逆投影の方法は公知の方法と同じであり、例えばＦｅｌｄｋａｍｐ法と呼ばれる方法に代表される３次元画像再構成アルゴリズムによる再構成を行い、スライス方向に広い対象領域（ボリューム）内におけるＸ線吸収係数の３次元的分布データ（以下、ボリュームデータと称する）を再構成する。再構成されたボリュームデータは、データ処理装置（図示しない）にて、操作者の指示に基づき、任意断面の断層像、任意方向からの投影像、レンダリング処理による特定臓器の３次元表面画像等のいわゆる擬似３次元画像データに変換され、画像処理装置２０に送られる。
【００２４】
　位置情報収集部６は、例えば、磁気的又は光学的な原理により動作する３次元位置センサからなり、被検体（撮影対象）Ｐの３次元位置情報を収集し、その３次元位置情報を時間ごとに位置制御部３３に出力する。つまり、位置情報収集部６は時系列的な３次元位置情報を収集して位置制御部３３に出力する。なお、後述するが、３次元画像データから抽出される解剖学的特徴点も３次元位置情報とする。
【００２５】
　生体情報収集部７は、医用画像診断装置１にてスキャン中に、被検体の心電信号（ＥＣＧ信号）、筋電信号（ＥＭＧ信号）又は関節の動作情報等の生体情報を取得するものである。例えば心電計が用いられる場合は、
生体情報収集部７は、被検体の心電信号（ＥＣＧ信号）を検出し、検出された心電信号（ＥＣＧ信号）をデジタル信号に変換する。そして、時系列的な３次元画像データと同時に得られる心電信号（ＥＣＧ信号）は、時間ごとに収集される複数の３次元画像データの付帯情報として時間制御部３４に出力され、更に生体情報記憶部４３に保存される
　（オ）「【００３２】
　
時間制御部３４は、生体情報収集部７により収集された生体情報と、生体情報記憶部４３に記憶されている生体情報とを読み込む
、時間制御部３４は、読み込んだ生体情報に基づいて、スキャンにより得られている時系列的な３次元画像データと、画像記憶部４１に保存されている時系列的な３次元画像データとを同期させる
同じ時刻（時相）に収集された３次元画像データ同士を同期させ、画像表示部２２は、同期させられた３次元画像データを同時に表示する
【００３３】
　さらに、
スキャンにより得られている３次元画像データと予め収集された３次元画像データとで、単位時間当たり（例えば１秒当たり）の画像数が異なる場合は、単位時間当たりの画像数が少ない画像データに対して補間処理を行って、スキャンにより得られている３次元画像データと予め収集された３次元画像データとを同期させる
　（カ）「【００４１】
　また、記憶装置４０は、画像記憶部４１、位置情報記憶部４２、生体情報記憶部４３、領域情報記憶部４４及び操作情報記憶部４５を備えて構成されている。
【００４２】
　画像記憶部４１には、医用画像診断装置１により予め所定時間ごとに収集された時系列的な３次元画像データが保存されている。例えば、Ｘ線ＣＴ装置、超音波診断装置又はＭＲＩ装置等により収集された、時間ごとに少しずつ異なる時系列的な３次元画像データが保存されている。この実施形態に係る医用画像診断装置１はＸ線ＣＴ装置を想定しているが、
画像記憶部４１には
Ｘ線ＣＴ装置により収集された画像データの他
、別の診断装置で収集された画像データが保存されていても構わない
【００４３】
　位置情報記憶部４２には、解剖学的特徴点や予め撮像時に被検体に装着された補助具によるマーカ等により表される、時間ごとに少しずつ異なる時系列的な３次元位置情報が記憶されている。または、位置情報収集部６により収集された被検体Ｐの３次元位置情報が記憶されている。
【００４４】
　
生体情報記憶部４３には、心電信号（ＥＣＧ）、筋電信号（ＥＭＧ）又は関節動作情報等からなる時間ごとに変化する生体情報が記憶されてい
　（キ）「【００４９】
　上述した例においては、医用画像診断装置１としてＸ線ＣＴ装置を用いているが、この他、超音波診断装置やＭＲＩ装置等を用いても良い。
図２に、医用画像診断装置として超音波診断装置を用いた例を示す。図２のブロック図に示す医用画像システムにおいては、医用画像診断装置の構成のみが異なっている。図２に示す医用画像診断装置１０は、超音波診断装置からなり、超音波プローブ１１、送受信部１２、信号処理部１３及びＤＳＣ（デジタルスキャンコンバータ）１４を備えて構成されている
・・・
【００５４】
　
信号処理部１３は、Ｂモード処理部、ドプラ処理部及びカラーモード処理部を備えている
【００５５】
　Ｂモード処理部は、エコーの振幅情報の映像化を行い、エコー信号からＢモード超音波ラスタデータを生成する。具体的には、ＲＦデータに対してバンドパスフィルタ処理を行い、その後、出力信号の包絡線を検波し、検波されたデータに対して対数変換による圧縮処理を施す。その他、エッジ強調等の処理が行われる場合もある。このＢモード処理部で生成されるデータをＢモード超音波ラスタデータという。
【００５６】
　
ドプラ処理部は、位相検波回路及びＦＦＴ演算回路等から構成され、ＲＦデータからドプラ偏移周波数成分を取り出し、更にＦＦＴ処理等を施して血流情報を有するデータを生成する
【００５７】
　カラーモード処理部は、動いている血流情報の映像化を行い、カラー超音波ラスタデータを生成する。血流情報には、速度、分散、パワー等の情報があり、血流情報は２値化情報として得られる。具体的には、カラーモード処理部は、位相検波回路、ＭＴＩフィルタ、自己相関器、及び流速・分散演算器から構成されている。このカラーモード処理部は、組織信号と血流信号とを分離するためのハイパスフィルタ処理（ＭＴＩフィルタ処理）が行われ、自己相関処理により血流の移動速度、分散、パワー等の血流情報を多点について求める。その他、組織信号を低減及び削減するための非線形処理が行われる場合もある。」
　（ク）「【００７４】
　このように各３次元画像データの向き及び位置が一致させられた後、各３次元画像データは時間制御部３４に出力される。時間制御部３４は、生体情報収集部７により収集される心電波形（ＥＣＧ信号）等の生体情報に基づいて、スキャンにより得られている時系列的な３次元画像データＢと、予め収集された時系列的な３次元画像データＡとを同期させる。この時間制御部３４による制御について、図５乃至図１１を参照しつつ説明する。図５は、この発明の第１の実施形態に係る画像処理装置により、２つの時系列的な３次元画像データを同期させて表示する処理を順番に示すフローチャートである。
【００７５】
　まず、時間制御部３４は、位置制御部３３から出力された３次元画像データＡと３次元画像データＢとを受け、更に、生体情報記憶部４３に記憶されている、予め収集された３次元画像データＡの付帯情報である生体情報を読み込む（ステップＳ１０）。次に、時間制御部３４は、生体情報収集部７から、スキャンにより得られている３次元画像データＢの付帯情報である生体情報を読み込む（ステップＳ１１）。
【００７６】
　生体情報収集部７として、心電計を用いた場合は、被検体（撮影対象）Ｐの心電信号（ＥＣＧ信号）が収集されるため、その心電信号（ＥＣＧ信号）が生体情報となる。また、筋電計を用いた場合は、ＥＭＧ信号が収集されるため、そのＥＭＧ信号が生体情報となる。その他、意図的に被検体の関節を動かしたときのその動きを示す関節動作情報を生体情報とすることもできる。
【００７７】
　時間制御部３４は、３次元画像データＡの付帯情報としての生体情報と、３次元画像データＢの付帯情報としての生体情報とが一致しているか否かの判断を行い（ステップＳ１２）、生体情報が異なっている場合は（ステップＳ１２、Ｎｏ）、時間制御部３４は、生体情報を一致させる（ステップＳ１３）。例えば、３次元画像データＡの生体情報として筋電信号（ＥＭＧ信号）が読み込まれ、３次元画像データＢの生体情報として心電信号（ＥＣＧ信号）が読み込まれた場合は、生体情報が異なっている。この場合、時間制御部３４は、例えば、３次元画像データＡの生体情報として心電信号（ＥＣＧ信号）を生体情報記憶部４３から読み込み、生体情報を一致させる。」
　（ケ）「【００６１】
（動作）
　次に、この発明の第１の実施形態に係る画像処理装置に動作について、図３乃至図１８を参照しつつ説明する。まず、スキャンにより得られている時系列的な３次元画像データと、予め収集されて画像記憶部４１に保存されている時系列的な３次元画像データとの座標系を一致させるための制御について、図３及び図４を参照しつつ説明する。図３は、この発明の第１の実施形態に係る画像処理装置による座標変換処理を順番に示すフローチャートである。図４は、この発明の第１の実施形態に係る画像処理装置による座標変換処理を説明するための図である。
【００６２】
　まず、Ｘ線ＣＴ装置又は超音波診断装置等からなる医用画像診断装置１（１０）により、時間的に少しずつ異なる時系列的な３次元画像データが収集され、図１又は図２に示す画像制御部３２を介して画像記憶部４１に保存される。
この時系列的な３次元画像データは、画像制御部３２からシステム制御部３１を介して画像表示部２２に出力され、
【００６３】
　そして、医用画像診断装置１（１０）により、時間ごとに少しずつ異なる、新たな時系列的な３次元画像データを収集する。ここで、今現在スキャンにより得られている時系列的な３次元画像データを、便宜的に「時系列的な３次元画像データＢ」と称する場合もある。
この新たな時系列的な３次元画像データＢは、逐次、医用画像診断装置１（１０）から画像処理装置２０の画像制御部３２
【００６４】
　そして、スキャンにより新たな時系列的な３次元画像データＢを収集しているときに、画像制御部３２は、画像記憶部４１から予め収集された時系列的な３次元画像データＡを読み込む。そして、画像制御部３２は、予め収集された時系列的な３次元画像データＡと、スキャンにより得られている時系列的な３次元画像データＢとを位置制御部３３に出力する。
　（コ）「【００７８】
　この実施形態においては、生体情報収集部７に心電計を用いて、被検体Ｐの心電信号（ＥＣＧ信号）を収集する場合について説明する。生体情報が一致している場合は（ステップＳ１２、Ｙｅｓ）、時間制御部３４は、その生体情報のタイムスケールを一致させ、互いの生体情報の時刻（時相）を一致させる（ステップＳ１４）。ここで、生体情報として心電信号（ＥＣＧ信号）を用いた場合において、タイムスケールを一致させる処理について図６及び図７を参照しつつ説明する。図６は、心電信号（ＥＣＧ信号）を示す図である。図７は、この発明の第１の実施形態に係る画像処理装置により、２つの時系列的な３次元画像を同期させて表示する処理を説明するための図である。
【００７９】
　図６に示す、ＥＣＧ１は、予め収集された時系列的な３次元画像データＡを収集する際に、同時に収集された心電信号（ＥＣＧ信号）である。また、ＥＣＧ２は、スキャンにより得られている時系列的な３次元画像データＢを収集している際に、同時に収集されている心電信号（ＥＣＧ信号）である。この例においては、ＥＣＧ２よりもＥＣＧ１の方が心拍の間隔が短い。なお、図６に示すように、心電信号（ＥＣＧ信号）には、「Ｐ」、「Ｑ」、「Ｒ」、「Ｓ」、「Ｔ」、「Ｕ」と命名されたピークがある。
【００８０】
　
時間制御部３４は、ＥＣＧ１とＥＣＧ２とを利用して、３次元画像データＡと３次元画像データＢのタイムスケールを一致させる
３次元画像データＡと３次元画像データＢのタイムスケールを一致させ、同じ時刻（時相）における３次元画像データ同士を同期させ、それらを画像表示部２２に出力して画像表示部２２にて同時に表示することで、同じ時刻（時相）にて収集された３次元画像同士の比較が可能となる
【００８１】
　
そして、時間制御部３４は、３次元画像データＡ及び３次元画像データＢの単位時間当たり（例えば１秒当たり）の画像数をそれぞれ算出し、単位時間当たりの画像数が少ない方の画像データに対して補間処理を施して所定の時刻（時相）の３次元画像データを生成する
　（サ）「【００８７】
　次に、単位時間当たりの画像数が、３次元画像データＡよりも３次元画像データＢの方が多い場合（ステップＳ１５、Ｙｅｓ）について説明する。この場合においては、ある時刻（時相）において収集された３次元画像データＢに対応する３次元画像データＡが欠けて存在しないため、３次元画像データＡに対して補間処理を施して、その時刻（時相）における欠けている３次元画像データを生成して、その時刻（時相）の３次元画像データＢに一致させる。
【００８８】
　
予め収集された時系列的な３次元画像データＡを補間する場合について、図８及び図９を参照しつつ説明する
【００８９】
　図８に示すように、時間制御部３４によりタイムスケールが延ばされた状態において、画像データｇ２３に対応する画像データｇ１３が存在しない。つまり、時刻（時相）ｔ３（ピークＴ）における３次元画像データＡが欠けて存在しない。従って、３次元画像データＡと３次元画像データＢとを比較する場合に、時刻（時相）ｔ３（ピークＴ）における画像データ同士の比較が不可能となってしまう。そこで、時間制御部３４は、時刻（時相）ｔ３の前後の時刻（時相）ｔ２、ｔ４にて収集された画像データｇ１２及びｇ１４を用いて、時刻（時相）ｔ３の欠けている画像データｇ１３を補間して求める。
【００９０】
　図９（ａ）に、時刻（時相）ｔ２、ｔ４におけるボリュームデータ内のボクセル位置とボクセル値との関係を示す。横軸は、ボリュームデータのボクセル位置を示し、縦軸はそのボクセル位置におけるボクセル値を示している。例えば、任意のボクセル位置ｎにおける時刻（時相）ｔ２のボクセル値はｖ２となり、時刻（時相）ｔ４のボクセル値はｖ４となる。
【００９１】
　図９（ｂ）に、任意のボクセル位置ｎにおける、時刻（時相）ｔ２のボクセル値と、時刻（時相）ｔ４のボクセル値とを示す。時刻（時相）ｔ３におけるボクセル値ｖ３は、ボクセル値ｖ２とｖ４との間にあると推測されるため、ボクセル値ｖ２とｖ４を結ぶ、ユーザ指定の関数「ｖ＝ｆ（ｔ）」により、時間制御部３４は、時刻（時相）ｔ３におけるボクセル値ｖ３を算出する。この関数「ｖ＝ｆ（ｔ）」は、線形又は非線形の関数の指定が可能である。そして、時間制御部３４は、全てのボクセル位置におけるボクセル値を算出し、時刻（時相）ｔ３における欠けている画像データｇ１３を生成する。
【００９２】
　このように、画像データを補間して３次元画像データＡ及び３次元画像データＢを、画像表示部２２にて同時に表示することで、同じ時刻（時相）の３次元画像データを表示して比較することが可能となる。
【００９３】
　次に、単位時間当たりの画像数が、３次元画像データＢよりも３次元画像データＡの方が多い場合（ステップＳ１５、Ｎｏ）について説明する。この場合においては、ある時刻（時相）において収集された３次元画像データＡに対応する３次元画像データＢが欠けて存在しないため、３次元画像データＢに対して補間処理を施して、その時刻（時相）における画像データを生成して、３次元画像データＡに一致させる。
【００９４】
　スキャンにより得られている時系列的な３次元画像データＢを補間する場合について、図１０及び図１１を参照しつつ説明する。図１０及び図１１は、この発明の第１の実施形態に係る画像処理装置による画像補間処理を説明するための図である。
【００９５】
　例えば図１０に示すように、画像データｇ１３に対応する画像データｇ２３が欠けて存在しないものとする。つまり、時刻（時相）ｔ３における３次元画像データＢが欠けて存在しない。この場合も上述した補間方法により補間して時刻ｔ３における３次元画像データＢを生成すれば良いが、３次元画像データＢは今現在、スキャンにより収集しているデータであるため、時刻ｔ３における３次元画像データを表示するまでに、時刻ｔ４における３次元画像データが収集されていなければ、時刻ｔ３における３次元画像データを補間することができない。つまり、図１０に時刻ｔ０で表す現在の時刻においては、画像データｇ２４以降のデータが存在しないため、時刻ｔ０の段階においては、上述したように時刻ｔ２と時刻ｔ４における３次元画像データを用いて補間処理を行って、時刻（時相）ｔ３における欠けている画像データｇ２３を生成することはできない。
【００９６】
　そこで、スキャンにより現在得られている時系列的な３次元画像データＢを補間する場合は、画像表示部２２の表示更新のタイミングをずらすことによって、補間処理を完了して画像データを生成し、補完された画像データを表示する。」
　イ　引用例２（特開２００３−６１９６１号公報）記載事項
　原査定の拒絶の理由において引用された、本願の出願日前に頒布された刊行物である特開２００３−６１９６１号公報（以下、「引用例２」という。）には、つぎの事項が記載されている。
　（ア）「【０００８】
【発明の概要】本発明は、以前に取得した画像と比較するために生理学的構造の画像を取得するとき正しい投影／切断平面が得られるように超音波スキャナのユーザを案内し支援するシステム及び方法を対象とする。
本発明の好ましい実施形態によれば、超音波スキャナ画面領域は２つの部分に分割され、その内の一方の部分は参照画像ループを示し、他方の部分は生の画像ループを示す。
【０００９】
参照画像ループは患者のＥＣＧ信号に基づいて生の撮像と同期させる。
、心拍動と同期して変化する幾つかの他の生理学的信号、例えば、血圧、ドップラー信号、フレーム相関係数や、画像自身内の関心のある領域からの平均グレースケールさえも使用することが可能である。
　（イ）「【００３０】本発明の好ましい実施形態によれば、
参照画像ループを患者のＥＣＧ信号に基づいて生の撮像と同期させる。ループの周期（繰返し時間）は以前の心拍動サイクル（１つ又は複数）を使用して予測する。
　（ウ）「【００３２】図４は本発明の好ましい実施形態による医用超音波イメージング・システムのブロック図である。画像フレーム取得サブシステムがトランスジューサ・プローブ２、送信／受信ビームフォーマ４及び画像プロセッサ２６で構成される。ストレス・プロトコル検査の際、トランスジューサ・プローブ２は患者の心臓の方へ向けられる。ビームフォーマ４は、オペレータ・インターフェース２４を介して人のオペレータ３４によって入力された指令に応答して、スキャナ制御装置２８の制御の下に動作する。完全な走査を実施するために一連のエコーを取得する。その際、送信ビームフォーマが一時的にオンにゲート駆動されて、各トランスジューサ素子を付勢し、その後、各トランスジューサ素子がエコー信号を作成して受信ビームフォーマに印加する。受信ビームフォーマは受信信号にそれぞれのビーム形成用遅延を加え、次いでこれらの時間遅延した信号を組み合わせて、単一の加算後エコー信号を作成する。この処理は、一フレーム全体が取得されるまで各走査線について繰り返される。各フレームの画像データはシネ・メモリ１６に記憶され且つ表示プロセッサ１４へ送られる。表示プロセッサ１４は表示のために画像データをマッピングして、これらのマッピングされた画像フレームを表示モニタ１８へ送る。
【００３３】ＥＣＧモニタ３２が患者に結合されていて、ストレス・プロトコル検査の際に患者の心臓を監視する。進行中の薬理学的ストレス・プロトコル検査の状態のソフトキー表示の一例を図５に示している。各々の番号を付けた区域は、休止、低供給量、ピーク供給量及び回復の４つの段（行）を持つストレス・プロトコルのそれぞれのセルを表す。異なる投影又はビュー が、４−ｃｈ（すなわち、４室）、２−ｃｈ（すなわち、２室）、ＰＬＡＸ（すなわち、胸骨傍長軸）及びＰＳＡＸ（すなわち、胸骨傍短軸）の見出しを付けたそれぞれの列に与えられる。これらは心臓超音波イメージングにおいて使用される標準のビュー（投影）の幾つかである。画像ループは通常、プロトコル内のセルの番号によって指示された通りに取得される。濃く陰影を付けたセルは、これらのセルが充たされていることを示しており、他方、軽く陰影を付けたセルはアクティブなセルである。システム・オペレータがプロトコルに従って画像取得を開始したとき、システムはアクティブなセルをプロトコ内の第１のセルに設定する。システム・オペレータは通常、画像ループをアクティブなセルに記憶させることによって次のセルへ移るが、アクティブなセルはまた、システム・オペレータがオペレータ・インターフェース２４上の（所望のセルへ移す）矢印キーを押すことによって変更することができる。これらのキーは、グラフィカル・ユーザ・インターフェース上に表示される仮想キーであってよい。
【００３４】本発明の好ましい実施形態によれば、ストレス・プロトコル・ソフトウエア３０により、どのセルがアクティブであるか、またどのセルが充たされているか監視して、アクティブなセルが変更されたときに新しいセルを識別する「参照ビュー選択」命令を出力する。「参照ビュー選択」命令に応答して、表示プロセッサ１４がシネ・メモリから該識別された参照画像ループを検索して表示させる。表示プロセッサ１４はまた、ＥＣＧモニタ３２からＱＲＳトリガ及び心拍数データを受け取る。表示プロセッサ１４はこの情報を使用して、選択された参照画像ループの表示のために開始時点を決定し且つ表示フレーム速度を設定する。
【００３５】前に述べたように、参照画像ループはシネ・メモリからロードされる。実際には、先ずハードディスクからシネ・メモリへロードされ、次いでシネ・メモリから表示される。」
　（エ）「【００３６】オペレータがストレス・プロトコル検査を行っているとき、プロトコル・ソフトウエアが図５に示されているストレス・プロトコル・セルの行列の表示を連続的に更新する。もしアクティブなセルが第１の段の後の任意の段にある場合、参照画像（すなわち、同じ投影又はビューについての前の段で取得された画像）を、図６に見られるように、生の画像と一緒に表示することができる。参照画像は、アクティブなセルの投影と同じ投影についての前の段の１つから取られる。生の画像ループは、生のＥＣＧと共に、表示モニタの右側に刻々と表示される。
参照画像ループ（一心臓サイクルについて）は
。参照画像ループは、生のＥＣＧ取得によって得られたカレントの心拍数に基づいた速度で循環させる。参照ループの表示は、ＥＣＧモニタ３２によって出力されている生のＥＣＧ波形の中のＱＲＳトリガを表示プロセッサ１４で検出したことに応答して「リセット」される（ループ内の第１の画像から開始する）。表示プロセッサは参照画像ループと生の画像ループとをモニタ１８へ同時に出力する。この同時表示により、システム・オペレータは循環する参照画像と循環する生の画像とを比較して、
　（３）引用発明
　ア　上記（２）ア（カ）の段落【００４１】及び【００４２】には、「記憶装置４０」に備えられている「画像記憶部４１」に、「別の診断装置で収集された画像データが保存されていても構わない」と記載されていることから、引用発明の「画像記憶部４１」に、「別の診断装置で収集された画像データ」が保存されており、同（オ）の段落【００３２】に、「読み込んだ生体情報に基づいてスキャンにより得られている時系列的な３次元画像データと、画像記憶部４１に保存されている時系列的な３次元画像データとを同期させ」、「同じ時刻（時相）に収集された３次元画像データを画像表示部２２に同時に表示させる」ことが記載されているから、引用例１には、当該画像データと、「超音波診断装置からなる医用画像診断装置１０でスキャンにより得られる時系列的な３次元画像データ」とを同期して表示するものが記載されているものと言い得る。
　イ　また、上記（２）ア（サ）において、「予め収集された時系列的な３次元画像データ」に対して補間を行うことが記載されているから、「別の診断装置で収集された時系列的な３次元画像データ」を補間することが記載されているものと言い得る。
　ウ　上記ア及びイ並びに上記（２）ア（ア）ないし（サ）によれば、上記引用例１には、つぎの発明が記載されているものと認められる。
  「医用画像診断装置１０、位置情報収集部６、生体情報収集部７、画像処理装置２０及び記憶装置４０を備えて構成された医用画像システムであって、医用画像診断装置１０は、超音波診断装置からなり、超音波プローブ１１、送受信部１２、信号処理部１３及びＤＳＣ（デジタルスキャンコンバータ）１４を備えて構成されており、信号処理部１３は、Ｂモード処理部、ドプラ処理部及びカラーモード処理部を備え、ドプラ処理部は、位相検波回路及びＦＦＴ演算回路等から構成され、ＲＦデータからドプラ偏移周波数成分を取り出し、更にＦＦＴ処理等を施して血流情報を有するデータを生成するものであり、
　生体情報収集部７は、被検体の心電信号（ＥＣＧ信号）を検出し、検出された心電信号（ＥＣＧ信号）をデジタル信号に変換し、時系列的な３次元画像データと同時に得られる心電信号（ＥＣＧ信号）は、時間ごとに収集される複数の３次元画像データの付帯情報として時間制御部３４に出力され、生体情報記憶部４３に保存され、
　予め収集された時系列的な３次元データを画像制御部３２を介して画像記憶部４１に保存し、スキャンにより得られている時系列的な３次元画像データは画像処理装置２０の画像制御部３２に出力され、
　時間制御部３４は、読み込んだ生体情報である、被検体の心電信号を利用して、スキャンにより得られている時系列的な３次元画像データと、画像記憶部４１に保存されている別の診断装置で収集された時系列的な３次元画像データのタイムスケールを一致させ、スキャンにより得られている時系列的な３次元画像データと、画像記憶部４１に保存されている別の診断装置で収集された時系列的な３次元画像データの同じ時刻（時相）に収集された３次元画像データ同士を同期させるものであって、その際、スキャンにより得られている３次元画像データと別の診断装置で収集された３次元画像データとで、単位時間当たり（例えば１秒当たり）の画像数が異なる場合は、単位時間当たりの画像数が少ない別の診断装置で収集された３次元画像データに対して補間処理を行って、スキャンにより得られている３次元画像データと別の診断装置で収集された３次元画像データとを同期させるものであり、画像表示部２２は、同期させられた３次元画像データを同時に表示する医用画像システム」の発明（以下、「引用発明」という。）　
　（４）本件補正発明と引用発明との対比
　本願補正発明と引用発明とを対比する。
　ア　まず、本件補正発明の「心拍、又は呼吸に同期した１周期分の動画である繰り返し画像を撮影する第１の診断装置と、前記繰り返し画像と異なるフレームレートを有する連続画像を撮影する第２の診断装置のそれぞれで撮像された画像データを取り込んで画像処理を行う画像診断装置」と引用発明の「医用画像診断装置１０、位置情報収集部６、生体情報収集部７、画像処理装置２０及び記憶装置４０を備えて構成された医用画像システム」とを対比する。
　（ア）引用発明の「スキャンにより得られている時系列的な３次元画像データ」と本件補正発明の「連続画像を撮影する第２の診断装置」で撮像された「連続画像」とは、
「第２の診断装置で撮影された連続画像である第２の動画像
　（イ）引用発明の「別の診断装置で収集された時系列的な３次元画像データ」と本件補正発明の「心拍又は呼吸に同期した１周期分の動画である繰り返し画像を撮影する第１の診断装置」で「撮像された画像データ」であって、「１周期分の動画を繰り返して表示する」「繰り返し画像」とは、
「第１の診断装置で撮影された第１の動画像」
　（ウ）そして、引用発明の「医用画像診断装置１０、位置情報収集部６、生体情報収集部７、画像処理装置２０及び記憶装置４０を備えて構成された医用画像システム」は、「スキャンにより得られている時系列的な３次元画像データと画像記憶部４１に保存されている別の診断装置で収集された時系列的な３次元画像データ」を、「被検体の心電信号を利用して」、「同期」して表示するものであり、「その際に、スキャンにより得られている３次元画像データと別の診断装置で収集された３次元画像データとで、単位時間当たり（例えば１秒当たり）の画像数が異なる場合は、単位時間当たりの画像数が少ない画像データに対して補間処理を行って、スキャンにより得られている３次元画像データと別の診断装置で収集された３次元画像データとを同期させる」ものであるから、本件補正発明と引用発明とは、
「第１の診断装置で撮影された第１の動画像」及び「第２の診断装置で撮影された連続画像である第２の動画像
フレームレートが異なる
　（エ）以上のことをまとめると、本件補正発明の「心拍、又は呼吸に同期した１周期分の動画である繰り返し画像を撮影する第１の診断装置と、前記繰り返し画像と異なるフレームレートを有する連続画像を撮影する第２の診断装置のそれぞれで撮像された画像データを取り込んで画像処理を行う画像診断装置」と引用発明の「医用画像診断装置１０、位置情報収集部６、生体情報収集部７、画像処理装置２０及び記憶装置４０を備えて構成された医用画像システム」であって、「スキャンにより得られている時系列的な３次元画像データと画像記憶部４１に保存されている別の診断装置により収集された時系列的な３次元画像データ」を、「被検体の心電信号を利用して」、「同期」して表示する」こととは、
「第１の診断装置で撮影された第１の動画像と、異なるフレームレートを有し、第２の診断装置で撮影された連続画像である第２の動画像とを撮影し、撮影された第１及び第２の動画像データを取り込んで画像処理を行う画像診断装置」
　イ　引用発明が「予め収集された時系列的な３次元データを画像制御部３２を介して画像記憶部４１に保存し、スキャンにより得られている時系列的な３次元画像データは画像処理装置２０の画像制御部３２に出力され」るものであることからすれば、引用発明が「スキャンにより得られている時系列的な３次元画像データ」や「別の診断装置により収集された時系列的な３次元画像データ」を「画像処理装置２０の画像制御部３２」に入力する手段を備えることは技術的に明らかであるから、本願補正発明と引用発明は
、「画像診断装置にデータを入力する入力手段」を備える
　ウ　引用発明の「生体情報収集部７」は、「被検体の心電信号（ＥＣＧ信号）を検出し、検出された心電信号（ＥＣＧ信号）をデジタル信号に変換し」同期に用いるものであるから、本件補正発明の「ドップラ信号の変化により同期信号を発生させる同期信号発生手段」と引用発明の「生態情報収集部７」とは、共に
「心拍に関連する生体情報に基づいて同期信号を発生させる同期信号発生手段」
　
　エ　本件補正発明の「１周期分の動画を繰り返して表示する前記繰り返し画像の表示と、前記連続画像の表示とを行う表示手段」であって「前記繰り返し画像を表示する際に、前記繰り返し画像と前記連続画像とを同期させながら同時に前記表示手段に表示する」ものと、引用発明の「同期させられた３次元画像データを同時に表示する」「画像表示部２２」とは、共に
「同期した第１の動画像と、第２の動画像を表示する表示手段」
　オ　引用発明の「画像記憶部４１」は、「医用画像診断装置１０」の「スキャンにより得られている時系列的な３次元画像データ」や「別の診断装置により収集された時系列的な３次元画像データ」を記憶するものであるから、本件補正発明の「前期繰り返し画像および前記連続画像を含むデータを記憶する記憶手段」と引用発明の「画像記憶部４１」は、
「第１の動画像と第２の動画像を記憶する記憶手段」
　カ　引用発明の「読み込んだ生体情報である、被検体の心電信号を利用して、スキャンにより得られている時系列的な３次元画像データと、画像記憶部４１に保存されている別の診断装置で収集された時系列的な３次元画像データのタイムスケールを一致させ、スキャンにより得られている３次元画像データと別の診断装置で収集された３次元画像データとで、単位時間当たり（例えば１秒当たり）の画像数が異なる場合は、単位時間当たりの画像数が少ない別の診断装置で収集された３次元画像データに対して補間処理を行って、スキャンにより得られている３次元画像データと別の診断装置で収集された３次元画像データとを同期させる」ことは、２つの３次元画像データを同期信号に同期するように補正処理することにほかならない。
　してみると、本件補正発明の「前記繰り返し画像のフレームレートを前記同期信号に同期するように該フレームレートを補正処理する処理手段」と引用発明の「読み込んだ生体情報である、被検体の心電信号を利用して、スキャンにより得られている時系列的な３次元画像データと、画像記憶部４１に保存されている別の診断装置で収集された時系列的な３次元画像データのタイムスケールを一致させ、スキャンにより得られている３次元画像データと別の診断装置で収集された３次元画像データとで、単位時間当たり（例えば１秒当たり）の画像数が異なる場合は、単位時間当たりの画像数が少ない別の診断装置で収集された３次元画像データに対して補間処理を行って、スキャンにより得られている３次元画像データと別の診断装置で収集された３次元画像データとを同期させる」こととは、
「第１の動画像のフレームレートを同期信号に同期するように該フレームレートを補正処理する補正処理手段」を有する
　キ　以上のことから、両者はつぎの一致点において一致し、つぎの相違点において相違する。
　＜一致点＞
　第１の診断装置で撮影された第１の動画像と、異なるフレームレートを有し、第２の診断装置により撮影された連続画像である第２の動画像とを撮像し、撮像された第１及び第２の動画像データを取り込んで画像処理を行う画像診断装置において、
　前記画像診断装置にデータを入力する入力手段と、
  第１の動画像と第２の動画像を記憶する記憶手段と
　同期した第１の動画像と、第２の動画像を表示する表示手段と
　心拍に関連する生体情報に基づいて同期信号を発生させる同期信号発生手段と
　第１の動画像のフレームレートを前記同期信号に同期するように該フレームレートを補正処理する処理手段と、
  前記第１の動画像を表示する際に、前記第１の動画像と前記第２の動画像とを同期させながら同時に前記表示手段に表示することを特徴とする画像診断装置」である点
  
＜相違点１＞
  第１及び第２の動画像に関して、本件補正発明の第１の動画像が「第１の診断装置で得られる」「心拍、又は呼吸に同期した１周期分の動画である繰り返し画像」であって、第２の動画像が「第２の診断装置」で撮像された「前記繰り返し画像と異なるフレームレートを有する連続画像」であるのに対して、引用発明の第１の動画像が「別の診断装置により収集された時系列的な３次元画像データ」であって、「心拍、又は呼吸に同期した１周期分の動画である繰り返し画像」であることが特定されていない点
＜相違点２＞
　心拍に関連する生体情報に基づいて同期信号を発生させる同期信号発生手段に関して、本件補正発明が「ドップラ信号の変化により同期信号を発生させる」ものであるのに対して、引用発明は「生体情報収集部７」が「被検体の心電信号（ＥＣＧ信号）を検出し、検出された心電信号（ＥＣＧ信号）をデジタル信号に変換し」て発生されるものである点
　（５）判断
　ア　相違点１について
　（ア）上記（２）イに摘記した事項によれば、引用例２には、「超音波スキャナ画面領域」を「２つの部分に分割」し、「その内の一方の部分は参照画像ループを示し、他方の部分は生の画像ループを示す」ようにし、「参照画像ループ」を「患者のＥＣＧ信号に基づいて生の撮像と同期させる」ようにしたものであって、「参照画像ループ」が「一心臓サイクル」についてのものであり「生のＥＣＧ取得によって得られたカレントの心拍数に基づいた速度で循環させ」るようにした医用画像診断装置の発明（上記（２）イ（エ）参照）が記載されている。
　（イ）この引用例２に記載の発明の「生の画像ループ」は、本件補正発明の「連続画像」に相当し、また、引用例２に記載の発明の「一心臓サイクル」の「ループ画像」は、本件補正発明の「心拍、又は呼吸に同期した１周期分の動画である繰り返し画像」に相当するものであるといえる。
　（ウ）そして、引用発明のシステムにおいて、「一心臓サイクルのループ画像」とライブ画像である「スキャンにより得られている３次元画像データ」とを表示するようにすることで、引用例２と同様に超音波ストレス検査時において必要とされる表示が可能となることは、当業者であれば容易に理解し得ることである。
　（エ）してみると、引用発明において、超音波ストレス検査時において必要とされる表示をするために、引用例２に記載されている発明のように、「別の診断装置により収集された時系列的な３次元画像データ」を「参照画像ループ」、すなわち、「一心臓サイクル」の「ループ画像」とし、また、「スキャンにより得られる時系列的な３次元画像データ」を「生の画像ループ」とすることにより、本件補正発明の相違点１に係る構成のようにすることは、当業者が容易になし得ることというべきである。
　イ　相違点２について
　上記（２）イ（ア）には「参照画像ループは患者のＥＣＧ信号に基づいて生の撮像と同期させる。この代わりに、心拍動と同期して変化する幾つかの他の生理学的信号、例えば、血圧、ドップラー信号、フレーム相関係数や、画像自身内の関心のある領域からの平均グレースケールさえも使用することが可能である。」と記載されているように、異なる動画像を同期して表示する際に、その同期信号をドップラー信号を用いて生成することが示唆されている。
　ここで、例えば、特開２００９−１１９２５０号公報の段落【００２９】ないし【００３１】及び図４や特開昭６３−２４０８４１号公報の特許請求の範囲等に記載されているように、心拍同期信号をドップラ信号を用いて生成することは、本願出願前従来周知の技術である。
　そして、引用発明がドップラ信号を検出可能であることに鑑みるに、引用発明における同期のための同期信号をＥＣＧ信号に代えて、ドップラ信号を用いて生成するようにすることで、本件補正発明の相違点２に係る構成のようにすることは、当業者が必要に応じて適宜なし得る程度のことにすぎない。
　ウ　本件補正発明の効果について
　本件補正発明の効果は、引用例１及び２に記載された事項並びに周知技術に基づいて当業者が予測し得る程度のことであって、格別のものともいえない。
　エ　小括
　上記アないしウで検討したように、本件補正発明は、引用発明および引用例２に記載の発明並びに周知技術に基づいて当業者が容易に発明をすることができたものであって、特許法第２９条第２項の規定により特許を受けることができないものであるから、特許出願の際独立して特許を受けることができるものではない。
　（６）補正の却下の決定のまとめ
　以上のとおりであるから、本件補正は、特許法第１７条の２第６項において読み替えて準用する同法第１２６条第７項の規定に違反するものである。
　したがって、本件補正は、同法第１５９条第１項において読み替えて準用する同法第５３条第１項の規定により却下すべきものである。
　よって、上記補正却下の決定の結論のとおり決定する。
第３　本願発明について
　１　本願発明
　上記第２の補正の却下の決定により、本件補正は却下された。
　また、平成２６年３月２０日にされた手続補正についても、原審において同年９月２５日付けの補正の却下の決定により却下されていることは、上記第１の手続の経緯において説示したとおりである。
　したがって、本願の請求項１ないし９に係る発明は、平成２５年１２月１６日に提出された手続補正書の特許請求の範囲の請求項１ないし９に記載された事項により特定されるとおりのものであり、その請求項１に係る発明（以下、単に、「本願発明」という。）は上記第２の１（１）において摘示したとおりのものである。
　２　引用例に記載された事項及び引用発明について
  引用例１（特開２００６−１９２１５１号公報）の記載事項及び引用例２（特開２００３−６１９６１号公報）の記載事項は、上記第２の２（２）ア及びイにおいて摘示したとおりであって、また、引用発明は、上記第２の２（３）ウにおいて認定したとおりである。
　３　判断
　本願発明は、上記第２の１（３）で説示したように、同期信号発生手段について特定されていた「ドップラ信号の変化により同期信号を発生させる」特定を削除するものであることから、本願発明は、本件補正発明を包含するものである。
　そうすると、本願発明の発明特定事項を全て含み、さらに「同期信号発生手段」を「ドップラ信号の変化により同期信号を発生させる」ものに限定されるものに相当する本件補正発明が、上記第２の（４）及び（５）に説示したように、引用発明及び引用例２に記載された発明並びに周知技術に基づいて当業者が容易に発明することができたものであるから、本願発明も、同様の理由により、引用発明及び引用例２に記載された発明並びに周知技術に基づいて当業者が容易に発明することができたものである。
　４　むすび
　以上のとおりであるから、本願発明は、特許法第２９条第２項の規定により特許を受けることができないから、その他の請求項に係る発明について検討するまでもなく、本願は拒絶されるべきものである。
　よって、結論のとおり審決する。